(57)【要約】【課題】作業者の手や身体を汚すことなく水溜まりの水を容易に吸い取って排出できると共に、運搬に際し、水が漏れ出して周囲を濡らすことがなく、しかも、排水作業の効率を飛躍的に向上させた吸水装置を提供する。【解決手段】本発明に係る吸水装置１は、箱状に形成された水漏れ防止用のケース体２と、箱状に形成されてケース体２内への収容・取り出しが自在で、複数の孔６を備えた吸排水用の桶体３とから成り、桶体３は、桶体３内に収容される吸水体４と、吸水体４を押し潰す押圧体５を備えている。【選択図】          図２
2004332460.tif 000002
【特許請求の範囲】
【請求項１】
箱状に形成された水漏れ防止用のケース体と、箱状に形成されてケース体内への収容・取り出しが自在で、複数の孔を備えた吸排水用の桶体とから成り、桶体は、桶体内に収容される吸水体と、吸水体を押し潰す押圧体を備えていることを特徴とする吸水装置。
【請求項２】
箱状に形成された水漏れ防止用のケース体は、その両側に棒状の起立部を立設し、両起立部の上端部にケース体用把持部を横架させて成り、箱状に形成された桶体は、その両側に棒状の起立部を立設し、両起立部の上端部に桶体用把持部を横架させて成り、ケース体の両起立部の内側に桶体の両起立部を配置し、ケース体と桶体の両起立部における上端部同士を軸支して、ケース体に桶体を揺動可能に取り付けた請求項１に記載の吸水装置。
【請求項３】
押圧体は、桶体内において、上下に移動可能である請求項１または２に記載の吸水装置。
【請求項４】
押圧体は、桶体内に収容された吸水体に上方から当接する平面体の両側に棒状の起立部を立設し、両起立部の上端部に押圧用把持部を横架させて成り、桶体の両起立部の内側に押圧体の両起立部を配置し、桶体の両起立部に設けたガイド部を介して押圧体が上下に移動可能である請求項１乃至３のいずれかに記載の吸水装置。
【請求項５】
水漏れ防止用のケース体を構成する起立部の上側には、所定のフック部を設け、桶体を構成する起立部の上側には、ケース体のフック部に係合する第１孔と第２孔を隣接して設け、ケース体のフック部が桶体の第１孔に係合しているときはケース体内に桶体が収容されている状態を保持し、ケース体のフック部が桶体の第２孔に係合しているときはケース体内から桶体が取り出されている状態を保持する請求項１乃至４のいずれかに記載の吸水装置。
【請求項６】
水漏れ防止用のケース体を構成する両起立部に回動可能な操作用グリップを横架させ、操作用グリップとフック部とをワイヤーにより連結し、操作用グリップの回動操作によりワイヤーを牽引して、桶体の第１孔・第２孔に係合しているケース体のフック部を引き抜く請求項５に記載の吸水装置。
【請求項７】
箱状に形成されたケース体は、ケース体に揺動可能に取り付けた桶体のケース体内への収容・取り出しを可能にするため、ケース体の前方を開放状態としている請求項１乃至６のいずれかに記載の吸水装置。
【請求項８】
箱状に形成された桶体は、その前方以外の部分に複数の孔を備えている請求項１乃至７のいずれかに記載の吸水装置。
【請求項９】
箱状に形成されたケース体の前方には、防水用の弾性体を付設している請求項１乃至８のいずれかに記載の吸水装置。
【請求項１０】
桶体のガイド部を介して上下に移動可能である押圧体は、所定の復帰付勢部材により、桶体内に収容している吸水体よりも上方に平面体が位置するように復帰する請求項１乃至９のいずれかに記載の吸水装置。
【発明の詳細な説明】
【０００１】
【発明の属する技術分野】
本発明は、例えば、学校等における運動場、競技場、その他の公共広場等において、窪み等に溜まった水を吸い取り、所定の排水場まで水を運搬して排出できるようにした吸水装置に関するものである。
【０００２】
【従来の技術】
従来において、例えば、学校等における運動場、競技場、その他の公共広場等において、窪み等に水が溜まっているときは、所定のスポンジを用いてこれを吸い取っていた。例えば、バケツ半分の量である約１０リットルの水を吸水できる縦・横・高さがそれぞれ４０ｃｍ・４０ｃｍ・１０ｃｍ程度の矩形状のスポンジを水の中に入れ、スポンジが水を充分に吸い取ってから排水場までスポンジを運搬し、そこでスポンジを搾って水を排出していたのである。
【０００３】
【発明が解決しようとする課題】
しかしながら、このような従来における水の吸水・排出方式では、水を吸っているスポンジを手に持って運搬するため、作業者の手や身体を汚し易かった。特に、大きめのスポンジを抱えて運搬していると、スポンジに含まれている水がスポンジの外に流れ出し、作業者がずぶ濡れになってしまう事態が生じていた。
【０００４】
また、スポンジの運搬中に、スポンジの外にだらだらと水が流れ出るため、排水場にたどり着くまでに大量の水が流れ落ちて、運動場等における水濡れ箇所を増やしてしまう弊害も生じていた。
【０００５】
しかも、バケツ半分の量である約１０リットルの水を吸ったスポンジを抱えて運搬するにはかなりの労力を要し、排水作業の効率が非常に悪かった。
【０００６】
そこで、本発明は叙上のような従来存した諸事情に鑑み創出されたもので、作業者の手や身体を汚すことなく水溜まりの水を容易に吸い取って排出できると共に、運搬に際し、水が漏れ出して周囲を濡らすことがなく、しかも、排水作業の効率を飛躍的に向上させた吸水装置を提供することを目的とする。
【０００７】
【課題を解決するための手段】
上述した目的を達成するため、本発明に係る吸水装置は、箱状に形成された水漏れ防止用のケース体と、箱状に形成されてケース体内への収容・取り出しが自在で、複数の孔を備えた吸排水用の桶体とから成り、桶体は、桶体内に収容される吸水体と、吸水体を押し潰す押圧体を備えていることで、上述した課題を解決した。
【０００８】
また、箱状に形成された水漏れ防止用のケース体は、その両側に棒状の起立部を立設し、両起立部の上端部にケース体用把持部を横架させて成り、箱状に形成された桶体は、その両側に棒状の起立部を立設し、両起立部の上端部に桶体用把持部を横架させて成り、ケース体の両起立部の内側に桶体の両起立部を配置し、ケース体と桶体の両起立部における上端部同士を軸支して、ケース体に桶体を揺動可能に取り付けたことで、同じく上述した課題を解決した。
【０００９】
さらに、押圧体は、桶体内において、上下に移動可能であることで、同じく上述した課題を解決した。
【００１０】
また、押圧体は、桶体内に収容された吸水体に上方から当接する平面体の両側に棒状の起立部を立設し、両起立部の上端部に押圧用把持部を横架させて成り、桶体の両起立部の内側に押圧体の両起立部を配置し、桶体の両起立部に設けたガイド部を介して押圧体が上下に移動可能であることで、同じく上述した課題を解決した。
【００１１】
加えて、水漏れ防止用のケース体を構成する起立部の上側には、所定のフック部を設け、桶体を構成する起立部の上側には、ケース体のフック部に係合する第１孔と第２孔を隣接して設け、ケース体のフック部が桶体の第１孔に係合しているときはケース体内に桶体が収容されている状態を保持し、ケース体のフック部が桶体の第２孔に係合しているときはケース体内から桶体が取り出されている状態を保持することで、同じく上述した課題を解決した。
【００１２】
また、水漏れ防止用のケース体を構成する両起立部に回動可能な操作用グリップを横架させ、操作用グリップとフック部とをワイヤーにより連結し、操作用グリップの回動操作によりワイヤーを牽引して、桶体の第１孔・第２孔に係合しているケース体のフック部を引き抜くことで、同じく上述した課題を解決した。
【００１３】
この他、箱状に形成されたケース体は、ケース体に揺動可能に取り付けた桶体のケース体内への収容・取り出しを可能にするため、ケース体の前方を開放状態としていることで、同じく上述した課題を解決した。
【００１４】
また、箱状に形成された桶体は、その前方以外の部分に複数の孔を備えていることで、同じく上述した課題を解決した。
【００１５】
さらに、箱状に形成されたケース体の前方には、防水用の弾性体を付設していることで、同じく上述した課題を解決した。
【００１６】
また、桶体のガイド部を介して上下に移動可能である押圧体は、所定の復帰付勢部材により、桶体内に収容している吸水体よりも上方に平面体が位置するように復帰することで、同じく上述した課題を解決した。
【００１７】
以上のように構成された本発明に係る吸水装置においては、ケース体の操作用グリップの回動操作によりワイヤーを牽引し、フック部の先端を移動させることで、吸排水用の桶体の起立部に設けられている第１孔からフック部を引き抜く。そして、垂直方向において、桶体用把持部と同列位置にあるケース体用把持部を、桶体用把持部よりも前方側へ移動させて操作用グリップを離すことで、フック部の先端は吸排水用の桶体の起立部に設けられている第２孔に係合する。この動作により、桶体はケース体内へ収容されている状態から、ケース体の外側へ取り出された状態となり、このケース体から取り出された状態の桶体を水溜まりの中に入れる。
【００１８】
その後、所定の復帰付勢部材の付勢力に抗して押圧体の押圧用把持部を手で押し下げることで、桶体内に収容されている吸水体を平面体により押し潰す。次いで、所定の復帰付勢部材の付勢力に任せて平面体を元の位置に復帰させると、吸水体が元の形に戻りながら水を吸い込むため、水溜まりの水が桶体の孔を通って勢い良く吸水体に吸水・保持される。
【００１９】
尚、吸水体を収容している桶体を水溜まりの中に入れると、吸水体はそのままの状態である程度の量の水を自然に吸い上げるが、吸水体を押し潰してから元の形に戻すことにより、大量の水を勢い良く吸い上げることが可能となる。
【００２０】
次に、ケース体の操作用グリップの回動操作によりワイヤーを牽引し、フック部の先端を移動させることで、吸排水用の桶体の起立部に設けられている第２孔からフック部を引き抜く。そして、桶体用把持部よりも前方に位置するケース体用把持部を、桶体用把持部との同列位置に戻してから操作用グリップを離すことで、フック部の先端は吸排水用の桶体の起立部に設けられている第１孔に係合する。すると、桶体はケース体の前方から進入してケース体内に収容された状態となり、この状態で所定の排水場まで運搬される。
【００２１】
このとき、ケース体の前方に付設されている防水用の弾性体は、吸水状態にある桶体内の吸水体から水が流れ出てケース体の外側に流れ落ちないよう、孔が存在しない桶体の前方側を若干の摩擦力でもって係止している。
【００２２】
そして、排水場に到着したときは、ケース体の操作用グリップの回動操作を介して、フック部の先端を桶体の起立部に設けられている第２孔に係合させ、桶体をケース体内から取り出した状態とする。この状態において、押圧体の押圧用把持部を手で押し下げることで、桶体内に収容されている吸水体を平面体により上方から押し潰す。すると、吸水体に保持されている水が外に流れ出し、桶体の孔を通って所定の排水場に排出される。
【００２３】
【発明の実施の形態】
以下に、図面を参照して本発明の一実施の形態を説明する。本発明に係る吸水装置１は、運動場における窪み等に貯まった水を吸い取って、所定の排水場まで運搬し、ここで水を排出できるようにしたものである。
【００２４】
この吸水装置１は、図１・図２に示すように、箱状に形成された水漏れ防止用のケース体２と、箱状に形成されてケース体２内への収容・取り出しが自在な吸排水用の桶体３とから成る。桶体３は、図２・図４に示すように、桶体３内に収容される吸水体４と、吸水体４を押し潰す押圧体５を備えている。また、箱状に形成された桶体３は、その前方以外の部分に複数の孔６を備えている。
【００２５】
水漏れ防止用のケース体２は、図３に示すように、底部分が比較的に大きく形成された平坦な箱における上方開口部の左右両側対称位置に棒状の起立部２Ａを立設し、この起立部２Ａの上端部には円柱状のケース体用把持部２Ｂを横架させている。また、ケース体２は、ケース体２に揺動可能に取り付けた桶体３のケース体２内への収容・取り出しを可能にするため、ケース体２の前方を開放状態としている。このケース体２の前方側面は、底面の前縁側を若干上向傾斜状に延設させて、前方開口面に仰角を付与した状態となっている。尚、この延設された面には、水抜き用の複数の孔２１が設けられている。
【００２６】
そして、このケース体２の前方開放側の内周縁部には、桶体３内に収容している吸水状態の吸水体４から流れ出た水がケース体２の外側に流れ落ちないようにするため、桶体３の孔６を備えていない前方側を若干の摩擦力で係止する略コ字枠状に形成された防水用の弾性体８が付設されている。
【００２７】
一方、箱状に形成された桶体３は、図４に示すように、平坦な箱における上方開口部の左右両側対象位置に棒状の起立部３Ａを立設し、両起立部３Ａの上端部に桶体用把持部３Ｂを横架させて成る。そして、図１・図２に示すように、ケース体２の両起立部２Ａの内側に桶体３の両起立部３Ａを配置し、ケース体２と桶体３の両起立部２Ａ・３Ａにおける上端部同士を軸支して、ケース体２に桶体３を揺動可能に取り付けている。具体的には、図３に示すように、ケース体２の両起立部２Ａの上側において、内側に向けて支軸部１５を設けている。また、図４に示すように、桶体３の両起立部３Ａの上側において、ケース体２の支軸部１５を嵌め込む孔１６を設けている。そして、図１・図２に示すように、ケース体２の支軸部１５を桶体３の孔１６に嵌合させて、ケース体２に桶体３を揺動可能に取り付けているのである。
【００２８】
さらに、ケース体２の起立部２Ａには、図３・図４に示すように、桶体３の左右の起立部３Ａの上側に隣接して形成された第１孔７Ａと第２孔７Ｂのいずれかに係合するフック部９を設けている。このフック部９と第１孔７Ａ・第２孔７Ｂは、嵌合しているケース体２の支軸部１５と桶体３の孔１６よりも下側に設けられている。また、桶体３の上側には、図４に示すように、孔１６と、第１孔７Ａ・第２孔７Ｂを設けるために、下方が拡がった略三角形状に形成されている。そして、フック部９が桶体３の第１孔７Ａに係合しているときはケース体２内に桶体３が収容されている状態を保持し（図１参照）、フック部９が桶体の第２孔７Ｂに係合しているときはケース体２内から桶体３が取り出されている状態を保持する（図２参照）。
【００２９】
すなわち、図３に示すように、ケース体２の起立部２Ａの外側面には、略Ｚ型に形成されたフック部９の折曲部位が、ヒンジ部１０を介して回動自在に取り付けられている。また、起立部２Ａのヒンジ部１０の取付位置よりも上側位置には、フック部９の先端が起立部２Ａに貫挿して反対側に突出できるように貫通孔１２を設けている。そして、フック部９の基端には、ワイヤー１３の一端を連結し、ヒンジ部１０の取付位置よりも下側に位置する左右一対のガイド用プーリー１４相互間にワイヤー１３を挟持させ、左右の起立部２Ａの中央に横架させた回動可能な操作用グリップ２Ｃの端部側面の偏心位置にワイヤー１３の他端を連結してある。この操作用グリップ２Ｃは、左右の起立部２Ａに取り付けた一対の水平板材２２を介して、ケース体２の両起立部２Ａに横架されている。
【００３０】
こうして、ケース体２の左右の起立部２Ａの中央に横架させた回動可能な操作用グリップ２Ｃの回動操作によりワイヤー１３を牽引し、当該ワイヤー１３に連結されているフック部９をヒンジ部１０を支点として外側へ回動させて貫通孔１２から引き抜くことにより、フック部９と桶体３の第１孔７Ａ・第２孔７Ｂとの係合が解除される。尚、フック部９は、ケース体２の左右の起立部２Ａのそれぞれに設けても良いし、いずれか一方の起立部２Ａに設けても良い。
【００３１】
また、押圧体５は、図５に示すように、桶体３内に収容された吸水体４に上方から当接する平面体５Ａの両側に棒状の起立部５Ｂを立設し、両起立部５Ｂの上端部に押圧用把持部５Ｃを横架させて成る。そして、図１・図２に示すように、桶体３の両起立部３Ａの内側に押圧体５の両起立部５Ｂを配置し、桶体３の両起立部３Ａに設けたガイド部１７を介して押圧体５が上下に移動可能となっている。このガイド部１７は、桶体３の両起立部３Ａの内側に、それぞれ２個設けられている。
【００３２】
桶体３に設けたガイド部１７を介して上下に移動可能である押圧体５は、図１に示すように、所定の復帰付勢部材としての、例えば、バネ１９により、桶体３内に収容している吸水体４よりも上方に平面体５Ａが位置するようにしている。すなわち、図５に示すように、押圧体５の左右の起立部５Ｂは、中央部分が分割されて、その一方側端部に雄ネジ部２０Ａを設け、他方側端部に雌ネジ部２０Ｂを設け、雄ネジ部２０Ａを雌ネジ部２０Ｂにねじ込むことで、連結一体化が可能であり、これにより、押圧体５の桶体３に対する組み付けを容易なものとしている。しかも、バネ１９の取り付けも容易なものとしている。
【００３３】
このバネ１９は、図１・図５に示すように、例えば、起立部５Ｂのねじ込み連結箇所の近傍に左右一対となって突出状に形成されたバネストッパー１８に、コイル状のバネ１９の一端が係止されている。また、図１に示すように、桶体３の左右の起立部３Ａに設けた上下一対のガイド部１７のうち、下側に位置するガイド部１７の上端にバネ１９の他端が係止されている。このバネ１９の付勢力によって、押圧体５の平面体５Ａは、吸水体４よりも上方に位置している。そして、押圧体５の押圧用把持部５Ｃを手で押し下げたときは、バネ１９がバネストッパー１８により押されて縮んだ状態となり、平面体５Ａが下方に移動する（図２参照）。そして、押圧用把持部５Ｃから手を離すと、バネ１９の付勢力によってバネストッパー１８が押し上げられ、平面体５Ａが元の位置に戻る（図１参照）。
【００３４】
一方、図４・図６に示すように、桶体３に収容される吸水体４は、スポンジ等の弾性を有する多孔質性合成樹脂材から成る。この吸水体４は、例えば、バケツ半分の量である約１０リットルの水を吸水できるよう、縦・横・高さがそれぞれ４０ｃｍ・４０ｃｍ・１０ｃｍ程度の矩形状に形成されている。尚、吸水体４は、水を充分に吸水・保持できるものであれば、どの様な材質・形状のものであっても差し支えない。
【００３５】
以下に、吸水装置１についての使用、動作の一例を説明する。まず、ケース体２内に桶体３が収容されている状態（図１参照）において、ケース体２の操作用グリップ２Ｃの回動操作によりワイヤー１３を牽引し、フック部９の先端を梃子の作用によって外側方向へ移動させることで、吸排水用の桶体３の起立部３Ａに設けられている第１孔７Ａからフック部９を引き抜く。そして、垂直方向において、桶体用把持部３Ｂと同列位置にあるケース体用把持部２Ｂを、桶体用把持部３Ｂよりも前方側へ移動させて操作用グリップ２Ｃを離すことで、フック部９の先端を吸排水用の桶体３の起立部３Ａに設けられている第２孔７Ｂに係合させる（図２参照）。この動作により、桶体３はケース体２内へ収容されている状態（図１参照）から、ケース体２の外側へ取り出された状態（図２参照）となり、このケース体２から取り出された状態（図２参照）の桶体３を水溜まりの中に入れる。
【００３６】
その後、所定の復帰付勢部材（１９）の付勢力に抗して押圧体５の押圧用把持部５Ｃを手で押し下げることで、桶体３内に収容されている吸水体４を平面体５Ａにより押し潰す（図２参照）。次いで、所定の復帰付勢部材（１９）の付勢力に任せて平面体５Ａを元の位置に復帰させると、吸水体４が元の形に戻りながら水を吸い込むため、水溜まりの水が桶体３の孔６を通って勢い良く吸水体４に吸水・保持される。
【００３７】
尚、吸水体４を収容している桶体３を水溜まりの中に入れると、吸水体４はそのままの状態である程度の量の水を自然と吸い上げるが、吸水体４を押し潰してから元の形に戻すことにより、大量の水を勢い良く吸い上げることが可能となる。
【００３８】
次に、ケース体２の操作用グリップ２Ｃの回動操作によりワイヤー１３を牽引し、フック部９の先端を梃子の作用によって外向方向へ移動させることで、吸排水用の桶体３の起立部３Ａに設けられている第２孔７Ｂからフック部９を引き抜く。そして、桶体用把持部３Ｂよりも前方に位置するケース体用把持部２Ｂを、桶体用把持部３Ｂとの同列位置に戻して操作用グリップ２Ｃを離すことで、フック部９の先端を吸排水用の桶体３の起立部３Ａに設けられている第１孔７Ａに係合させる（図１参照）。すると、桶体３はケース体２の前方から進入してケース体２内に収容された状態（図１参照）となり、この状態で所定の排水場まで運搬される。
【００３９】
このとき、ケース体２の前方に付設されている防水用の弾性体８は、吸水状態にある桶体３内の吸水体４から水が流れ出てケース体２の外側に流れ落ちないよう、孔６が存在しない桶体３の前方側を若干の摩擦力でもって係止している。
【００４０】
そして、排水場に到着したときは、ケース体２の操作用グリップ２Ｃの回動操作を介して、フック部９の先端を桶体３の起立部３Ａに設けられている第２孔７Ｂに係合させ、桶体３をケース体２内から取り出した状態（図２参照）とする。この状態において、押圧体５の押圧用把持部５Ｃを手で押し下げることで、桶体３内に収容されている吸水体４を平面体５Ａにより上方から押し潰す（図２参照）。すると、吸水体４に保持されている水が外に流れ出し、桶体３の孔６を通って所定の排水場に排出される。
【００４１】
【発明の効果】
本発明に係る吸水装置１は、箱状に形成された水漏れ防止用のケース体２と、箱状に形成されてケース体２内への収容・取り出しが自在で、複数の孔６を備えた吸排水用の桶体３とから成り、桶体３は、桶体３内に収容される吸水体４と、吸水体４を押し潰す押圧体５を備えていることから、この吸水装置１を用いて、例えば、学校等における運動場、競技場、その他の公共広場等において、窪み等に溜まった水を簡単に吸い取り、所定の排水場まで水を運搬して確実に排出できる。
【００４２】
すなわち、ケース体２から桶体３を取り出し、桶体３を水溜まりの中へ入れると、桶体３の孔６を介して、水溜まりの水が桶体３内の吸水体４に自然に吸水される。そして、桶体３をケース体２内に収容することで、水が流れ落ちることなく、排水場まで運搬できる。
【００４３】
また、ケース体２から桶体３を取り出し、吸水体４に押圧体５を押し付けることで、吸水体４に保持されている水が外に流れ出し、桶体３の孔６を通って即座に排出される。
【００４４】
そのため、従来のように水を吸っているスポンジを直接手に持って運搬する必要がないため、作業者の手や身体を汚すことがない。特に、吸水体４に保持されている水が外に流れ出し、作業者の服が濡れてしまう事態を確実に阻止できる。また、運搬中にだらだらと水が流れ落ちる事態を阻止して、運動場等における水濡れ箇所を増やすこともない。しかも、誰もが簡単な操作により確実に水を排出できるため、水溜まりの排水作業の効率を飛躍的に向上させることができる。
【００４５】
さらに、箱状に形成された水漏れ防止用のケース体２は、その両側に棒状の起立部２Ａを立設し、両起立部２Ａの上端部にケース体用把持部２Ｂを横架させて成り、箱状に形成された桶体３は、その両側に棒状の起立部３Ａを立設し、両起立部３Ａの上端部に桶体用把持部３Ｂを横架させて成り、ケース体２の両起立部２Ａの内側に桶体３の両起立部３Ａを配置し、ケース体２と桶体３の両起立部２Ａ・３Ａにおける上端部同士を軸支しているため、ケース体２に桶体３を揺動可能に取り付けることができる。
【００４６】
そのため、ケース体２から桶体３を取り出して水溜まりの中に入れる吸水状態、また、桶体３をケース体２内に収容した水の運搬状態、さらには、ケース体２から桶体３を取り出して吸水体４に押圧体５を押し付ける水の排出状態を誰もが簡単に実行できる。
【００４７】
また、押圧体５は、桶体３内において、上下に移動可能であるので、ケース体２から桶体３を取り出した状態において、桶体３を水溜まりの中に入れ、押圧体５を押し下げて桶体３内に収容されている吸水体４を押し潰し、その後、押圧体５を元の位置に戻して吸水体４の押圧状態を解くことにより、吸水体４が勢い良く水を吸い上げ、これを保持できる。また、水を保持している吸水体４に押圧体５を押し付けて吸水体４を押し潰したときには、吸水体４に保持されている水が勢い良く外に流れ出す。
【００４８】
この様に、押圧体５による吸水体４の押圧と押圧状態の解除により、水溜まりの水を吸水体４が勢い良く吸い上げ、また、吸水体４に保持されている水を即座に排出できる。
【００４９】
加えて、押圧体５は、桶体３内に収容された吸水体４に上方から当接する平面体５Ａの両側に棒状の起立部５Ｂを立設し、両起立部５Ｂの上端部に押圧用把持部５Ｃを横架させて成り、桶体３の両起立部３Ａの内側に押圧体５の両起立部５Ｂを配置し、桶体３の両起立部３Ａに設けたガイド部１７を介して押圧体５が上下に移動可能であるので、押圧用把持部５Ｃを手で押し下げるという簡単な操作により、押圧体５の平面体５Ａを吸水体４に押し付けることができる。
【００５０】
また、押圧体５における平面体５Ａの全体と吸水体４の上面全体が当接するので、吸水体４の全体を平面体５Ａにより簡単・確実に押し潰すことができる。
【００５１】
この他、水漏れ防止用のケース体２を構成する起立部２Ａの上側には、所定のフック部９を設け、桶体３を構成する起立部３Ａの上側には、ケース体２のフック部９に係合する第１孔７Ａと第２孔７Ｂとを隣接して設けているため、ケース体２のフック部９が桶体３の第１孔７Ａに係合しているときはケース体２内に桶体３が収容されている状態を確実に保持し、ケース体２のフック部９が桶体３の第２孔７Ｂに係合しているときはケース体２内から桶体３が取り出されている状態を確実に保持することができる。
【００５２】
また、水漏れ防止用のケース体２を構成する両起立部２Ａに回動可能な操作用グリップ２Ｃを横架させ、操作用グリップ２Ｃとフック部９とをワイヤー１３により連結し、操作用グリップ２Ｃの回動操作によりワイヤー１３を牽引することで、桶体３の第１孔７Ａ・第２孔７Ｂに係合しているケース体２のフック部９を引き抜くので、操作用グリップ２Ｃを手で回動させるという簡単な操作により、ケース体２のフック部９を桶体３の第１孔７Ａ・第２孔７Ｂに係合させ、また、フック部９を引き抜いて、ケース体２に桶体３を収容している状態、ケース体２から桶体３を取り出している状態を簡単に実現できる。
【００５３】
さらに、箱状に形成されたケース体２は、ケース体２の前方を開放状態としているため、ケース体２に揺動可能に取り付けた桶体３のケース体２内への収容・取り出しを可能としている。
【００５４】
また、箱状に形成された桶体３は、その前方以外の部分に複数の孔６を備えているので、ケース体２内に桶体３を収容しているときに、吸水体４から流れ出た水が桶体３の前方から流れ落ちることがない。
【００５５】
加えて、箱状に形成されたケース体２の前方には、防水用の弾性体８を付設しているので、吸水状態にある桶体３内の吸水体４から水が流れ出てケース体２の外側に流れ落ちないよう、孔６が存在しない桶体３の前方側を若干の摩擦力でもって係止している。
【００５６】
また、桶体３のガイド部１７を介して上下に移動可能である押圧体５は、所定の復帰付勢部材（１９）により、桶体３内に収容している吸水体４よりも上方に平面体５Ａが位置するように復帰するので、労力としては手で押圧体５を押し下げるのみであり、手を離せば押圧体５が元に位置に戻るため、本発明の吸水装置１を用いた吸水作業・排水作業が非常に楽である。
【図面の簡単な説明】
【図１】本発明に係る吸水装置の一実施の形態を示したもので、ケース体に桶体が収容されている状態の一部拡大の斜視図である。
【図２】ケース体から桶体が取り出されている状態の斜視図である。
【図３】ケース体の構成を示した一部拡大の斜視図である。
【図４】吸水体を収容する桶体の構成を示した斜視図である。
【図５】押圧体の構成を示した一部拡大の斜視図である。
【図６】吸水体の構成を示した斜視図である。
【符号の説明】
１…吸水装置                    ２…ケース体
２Ａ…起立部                    ２Ｂ…ケース体用把持部
２Ｃ…操作用グリップ              ３…桶体
３Ａ…起立部                    ３Ｂ…桶体用把持部
４…吸水体                      ５…押圧体
５Ａ…平面体                    ５Ｂ…起立部
５Ｃ…押圧用把持部                ６…孔
７Ａ…第１孔                    ７Ｂ…第２孔
８…弾性体                      ９…フック部
１０…ヒンジ部                  １２…貫通孔
１３…ワイヤー                  １４…ガイド用プーリー
１５…支軸部                    １６…孔
１７…ガイド部                  １８…バネストッパー
１９…バネ                    ２０Ａ…雄ネジ部
２０Ｂ…雌ネジ部                  ２１…孔
２２…水平板材
【図１】
2004332460.tif 000003
【図２】
2004332460.tif 000004
【図３】
2004332460.tif 000005
【図４】
2004332460.tif 000006
【図５】
2004332460.tif 000007
【図６】
2004332460.tif 000008